(57)【要約】  【課題】  防水機能を確保するとともに、放熱機能を向上することのできるＰＯＳ端末装置を提供する。  【解決手段】  ＰＯＳ端末装置１は、放熱用の通気孔７を有する装置本体３と、通気孔７の上方に配置され、基端部９より先端部１０が低くなるように傾斜したカバー８とを備える。カバー８の先端部１０には、基端側より先端側の幅が狭い先細り形状をしたガイド部１５が備えられており、ガイド部１５は、通気孔７が下方に存在しない通気孔不存在エリアＡ２まで延びている。【選択図】  図１
2007249456.tif 000002
【特許請求の範囲】
【請求項１】
放熱用の通気孔を有する装置本体と、
前記通気孔の上方に配置され、基端部より先端部が低くなるように傾斜したカバーと、
を備え、
前記カバーの先端部には、基端側より先端側の幅が狭い先細り形状をしたガイド部が備えられており、前記ガイド部は、前記通気孔が下方に存在しない通気孔不存在エリアまで延びていることを特徴とするＰＯＳ端末装置。
【請求項２】
前記カバーは、
所定の厚さを有する板状部分と、
前記板状部分の先端側に設けられ、前記板状部分より厚さの薄いシート状部分と、
を備え、
前記ガイド部は、前記シート状部分に設けられていることを特徴とする請求項１に記載のＰＯＳ端末装置。
【請求項３】
前記カバーの先端部には、複数の前記ガイド部が備えられていることを特徴とする請求項１または請求項２に記載のＰＯＳ端末装置。
【請求項４】
前記通気孔は、前記装置本体の上部に設けられ、
前記カバーは、前記装置本体の上面に備えられていることを特徴とする請求項１ないし請求項３のいずれかに記載のＰＯＳ端末装置。
【発明の詳細な説明】
【技術分野】
【０００１】
本発明は、防水機能を確保するとともに放熱機能を向上したＰＯＳ端末装置に関するものである。
【背景技術】
【０００２】
ＰＯＳ端末装置（金銭登録機）は、商品を販売する際にその商品の販売情報等を入力して記録管理する装置である。このＰＯＳ端末装置は、店舗のレジカウンター等に設置される。そのため、例えば、店員がレジカウンター越しに商品の受け渡しを行うときに、商品に水が付着していると、その水がＰＯＳ端末装置に滴下することがある。また、店員が誤って水等をＰＯＳ端末装置の上にこぼしてしまうことがある。
【０００３】
そこで、従来、ＰＯＳ端末装置（金銭登録機）として、装置本体の内部に水が入り込むのを防止する防水機能を備えたものが知られている（例えば特許文献１参照）。従来のＰＯＳ端末装置では、本体ケースの上面部に湾曲面形状の凹部が形成されており、凹部に設けた連結用穴に表示器を保持する保持部材が挿通されている。凹部には、連結用穴の位置が最高位置となり、本体ケースの両外側に向けて次第に低くなる傾斜面が形成されている。このように、凹部内に入り込んだ水が傾斜面に沿って排水され、連結用穴から本体ケース内に水が入らないようにされている。
【特許文献１】特開平１０−１７７６８１号公報（第３−４頁、第１図）
【発明の開示】
【発明が解決しようとする課題】
【０００４】
ＰＯＳ端末装置の装置本体の内部には、電子部品等の発熱体を有している。そのため、装置本体には、放熱用の開口部を設ける必要がある。しかしながら、従来のＰＯＳ端末装置においては、防水機能を確保するために、放熱用の開口部を装置本体の上面に設けることができない。あるいは、放熱用の開口部を装置本体の上面に設けたとしても、開口部面積を大きくすることができず、放熱効率が低いという問題があった。
【０００５】
本発明は、上記従来の問題を解決するためになされたもので、防水機能を確保するとともに放熱機能を向上したＰＯＳ端末装置を提供することを目的とする。
【課題を解決するための手段】
【０００６】
本発明のＰＯＳ端末装置は、放熱用の通気孔を有する装置本体と、前記通気孔の上方に配置され、基端部より先端部が低くなるように傾斜したカバーと、を備え、前記カバーの先端部には、基端側より先端側の幅が狭い先細り形状をしたガイド部が備えられており、前記ガイド部は、前記通気孔が下方に存在しない通気孔不存在エリアまで延びている構成を有している。
【０００７】
この構成により、カバーの上に水がこぼれたときには、カバーが傾斜しているので、カバーの基端部から先端部に向かって水が流れる。このとき、カバーの先端部に先細り形状のガイド部が設けられているので、幅の狭くなっているガイド部の先端に水が集まるように、水の流れがガイドされる。そして、ガイド部の先端は、通気孔不存在エリアまで延びており、ガイド部の下方には通気孔が存在しない。これにより、ガイド部の先端から水が流れ落ちたときに、通気孔から装置本体の内部に水が入り込むのを防止できる。また、カバーは通気孔の上方に配置されており、カバーで通気孔を塞ぐことがないので、放熱効率が向上する。
【０００８】
また、本発明のＰＯＳ端末装置では、前記カバーは、所定の厚さを有する板状部分と、前記板状部分の先端側に設けられ、前記板状部分より厚さの薄いシート状部分と、を備え、前記ガイド部は、前記シート状部分に設けられている構成を有している。
【０００９】
この構成により、カバーのシート状部分の厚さが薄いので、水の流れが弱いときであっても、ガイド部の先端に集められた水が、ガイド部の裏側に回り込まずに、ガイド部の先端から滴下する。これにより、ガイド部の裏側まで水が回り込むのを防止でき、回り込んだ水が通気孔から装置本体の内部に入るのを防止できる。また、カバーの板状部分が所定の厚さを有するので、充分な強度を確保することができる。これにより、水の流れが強いときに、カバーの板状部分が水よけとしての役割を果たし、通気孔から装置本体の内部に水が入り込むのを防止できる。
【００１０】
また、本発明のＰＯＳ端末装置は、前記カバーの先端部には、複数の前記ガイド部が備えられている。この構成により、複数のガイド部の先端に水が分散するように、水の流れがガイドすることができる。
【００１１】
また、本発明のＰＯＳ端末装置では、前記通気孔は、前記装置本体の上部に設けられ、前記カバーは、前記装置本体の上面に備えられている。この構成により、装置本体の内部の発熱体により暖められて上昇した空気が、装置本体の上部の通気孔から効率よく排出され、放熱効率が向上する。
【発明の効果】
【００１２】
本発明は、通気孔不存在エリアまで延びている先細り形状のガイド部を、カバーの先端部に設けることにより、防水機能を確保するとともに、放熱機能を向上することができるという効果を有するＰＯＳ端末装置を提供することができるものである。
【発明を実施するための最良の形態】
【００１３】
以下、本発明の実施の形態のＰＯＳ端末装置について、図面を用いて説明する。本実施の形態では、店舗のレジカウンター等で用いられるＰＯＳ端末装置の場合を例示する。
【００１４】
本発明の実施の形態のＰＯＳ端末装置を図１および図２に示す。図１は、ＰＯＳ端末装置１の横から見た断面図であり、図２は、ＰＯＳ端末装置１の斜視図である。図１および図２に示すように、ＰＯＳ端末装置１は、液晶表示画面２を有する装置本体３と、装置本体３の上部にヒンジ４を介して上下回動自在に取り付けられるタッチパネル５を備えている。
【００１５】
タッチパネル５は、店員が商品を販売する際にその商品の情報等を入力するものである。液晶表示画面２には、購入した商品の料金などが表示される。タッチパネル５は、内側（図１における左側）を向いており、液晶表示画面２は、外側（図１における右側）を向いている。すなわち、内側は、店員に対して向けられる側（店員側）であり、外側は、客に対して向けられる側（客側）であるともいえる。
【００１６】
図１に示すように、装置本体３は、中空であり、側面視で略Ｌ字形状をしている。装置本体３の内部には、電源や電子部品等の発熱体６が備えられており、装置本体３の上部には、放熱用の通気孔７が設けられている。そして、装置本体３の上面には、カバー８が取り付けられている。カバー８は、通気孔７の上方に配置されており、基端部９より先端部１０のほうが低くなるように傾斜している。また、カバー８は、ヒンジ４の上方に配置されている（図１参照）。したがって、本実施の形態のカバー８は、ヒンジカバーを兼ねているともいえる。
【００１７】
図３は、カバー８を取り付ける前の状態を示すＰＯＳ端末装置１の分解斜視図である。図４は、カバー８を取り付けた状態のＰＯＳ端末装置１の斜視図である。図５は、ＰＯＳ端末装置１を上から見た図である。なお、図３および図４では、説明の便宜のため、タッチパネル５の図示は省略されている。
【００１８】
図３および図４に示すように、カバー８は、厚みのある板状のカバー板１１と、カバー板１１よりも薄いシート１２で構成されている。ここで、カバー板１１は、本発明の板状部分に相当し、また、シート１２は、本発明のシート状部分に相当する。本実施の形態では、カバー板１１は、平面視で概略凸字形状である。すなわち、カバー板１１の中央部１３は、内側（図１における左側）に向けて突出しており、この突出した中央部１３が、通気孔７の上方に位置している。このように、カバー板１１は、下方に通気孔７が存在する通気孔存在エリアＡ１に位置している（図７および図８参照）。また、カバー板１１の左右両側は下側に向けて屈曲しており、その屈曲した左右両側には一対の取付け部１４が設けられている。カバー８は、取付け部１４を介して装置本体３の上面にねじで固定される。
【００１９】
シート１２は、カバー板１１の突出した中央部１３の先端に取り付けられている。そして、シート１２の先端部１０には、基端側（図１における右側）より先端側（図１における左側）の幅が狭くなっている先細り形状の４つのガイド部１５が設けられている。そして、ガイド部１５の先端は、下方に通気孔７が存在しない通気孔不存在エリアＡ２まで延びている（図７および図８参照）。
【００２０】
本実施の形態では、シート１２のガイド部１５の横側に滑らかな円弧形状が形成されており、ガイド部１５の先端は尖っている。すなわち、シート１２の先端部１０を円弧状に３箇所切り欠くことにより、ガイド部１５が形成されているともいえる。あるいは、図５に示すように、シート１２の先端部１０に、半月状の隙間１６が３箇所形成されているともいえる。そして、本実施の形態では、タッチパネル５とシート１２との間に形成された半月状の隙間１６が、放熱用の通気孔として用いられる。また、半月状の隙間１６には、タッチパネル５の配線ケーブル１７が通されている。したがって、半月状の隙間１６は通線孔としても用いられている。
【００２１】
なお、本実施の形態では、カバー板１１は、装置本体３と同様、例えばＡＢＳ（アクリロニトリル・ブタジエン・スチレン）やＰＣ（ポリカーボネイト）等の合成樹脂製である。シート１２は、例えばＰＥＴ（ポリエチレンテレフタレート）等のエンジニアリングプラスチック製である。
【００２２】
以上のように構成されたＰＯＳ端末装置１について、図１および図６〜図９を用いてその動作を説明する。ここでは、特にＰＯＳ端末装置１の放熱機能と防水機能を説明する。なお、図においては、空気の流れが黒い矢印で示されており、水の流れが白い矢印で示されている。
【００２３】
まず、本発明の実施の形態のＰＯＳ端末装置１の放熱機能について説明する。ＰＯＳ端末装置１の装置本体３の内部において、電源や電子部品等の発熱体６が発熱すると、発熱体６の近くの空気が暖められる。そして、発熱体６によって暖められた空気は、図１に示すように、装置本体３の内部を上昇し、装置本体３の上部の通気孔７へ向かう。
【００２４】
本実施の形態では、図６に示すように、カバー８が通気孔７の上方に配置されており、カバー８で通気孔７を塞ぐことがないので、暖められた空気は通気孔７から装置本体３の外へ排出される。さらに、本実施の形態では、図５に示すように、カバー８のシート１２とタッチパネル５との間に半月状の隙間１６が形成されているので、装置本体３の通気孔７から排出された暖かい空気は、シート１２とタッチパネル５との間の半月状の隙間１６を通って排気される。このようにして、ＰＯＳ端末装置１の放熱が行われる。
【００２５】
つぎに、本実施の形態のＰＯＳ端末装置１の防水機能について説明する。例えば、店員の不注意等により、装置本体３の上に水がこぼれてしまうことがある。本実施の形態では、装置本体３の上面にカバー８が取り付けられているので、水はカバー８の上にこぼれることになる。そして、図１および図６に示すように、カバー８の上にこぼれた水は、傾斜しているカバー８の上を基端部９から先端部１０に向かって流れる。
【００２６】
図７は、水の流れが強いとき、例えば大量の水がこぼれたときの水の流れを説明するための図である。図７に示すように、水の流れが強いときには、水はカバー８の上を勢いよく流れる。この場合、カバー８のカバー板１１は厚いので、大量の水を受け止めるだけの充分な強度を有している。そして、カバー８の上を勢いよく流れた水は、カバー８の先端（シート１２の先端）から通気孔不存在エリアＡ２に向けて、斜め下向きに流れ落ちる。このように、カバー８のカバー板１１が水よけとしての役割を果たし、通気孔７から装置本体３の内部に水が入り込むのが防止される。
【００２７】
図８および図９は、水の流れが弱いとき、例えば少量の水がこぼれたときの水の流れを説明するための図である。図８および図９に示すように、水の流れが弱いときには、水はカバー８の上をゆっくり流れる。この場合、カバー８（シート１２）の先端部１０に先細り形状のガイド部１５が設けられているので、ガイド部１５の円弧形状に沿って水の流れがガイドされ、ガイド部１５の先端に水が集められる（図９参照）。
【００２８】
そして、ガイド部１５の先端は、通気孔不存在エリアＡ２まで延びており、ガイド部１５の下方に通気孔７が存在しない（図８参照）。したがって、流れの弱い水がガイド部１５の先端から滴下したときに、通気孔７から装置本体３の内部に水が入り込むのが防止される。また、この場合、シート１２の厚さが薄いので、ガイド部１５の先端に集められた水が、ガイド部１５の裏側に回り込むことなく、ガイド部１５の先端から自重で真下に滴下する。このようにして、ガイド部１５の裏側まで表面張力で水が回り込むのが防止される。
【００２９】
このような発明の実施の形態のＰＯＳ端末装置１によれば、通気孔不存在エリアＡ２まで延びている先細り形状のガイド部１５を、カバー８（シート１２）の先端部１０に設けることにより、防水機能を確保するとともに、放熱機能を向上することができる。
【００３０】
すなわち、本実施の形態では、カバー８の上に水がこぼれたときには、カバー８が傾斜しているので、カバー８の基端部９から先端部１０に向かって水が流れる。このとき、カバー８の先端部１０に先細り形状のガイド部１５が設けられているので、幅の狭くなっているガイド部１５の先端に水が集まるように、水の流れがガイドされる。そして、ガイド部１５の先端は、通気孔不存在エリアＡ２まで延びており、ガイド部１５の下方には通気孔７が存在しない。これにより、ガイド部１５の先端から水が流れ落ちたときに、通気孔７から装置本体３の内部に水が入り込むのを防止できる。また、カバー８は通気孔７の上方に配置されており、カバー８で通気孔７を塞ぐことがないので、放熱効率が向上する。
【００３１】
また、本実施の形態では、シート１２の厚さが薄いので、水の流れが弱いときであっても、ガイド部１５の先端に集められた水が、ガイド部１５の裏側に回り込まずに、ガイド部１５の先端から自重で滴下する。これにより、ガイド部１５の裏側まで水が表面張力で回り込むのを防止でき、回り込んだ水が通気孔７から装置本体３の内部に入るのを防止できる。また、カバー板１１が所定の厚さを有するので、充分な強度を確保することができる。これにより、水の流れが強いときに、カバー板１１が水よけとしての役割を果たし、通気孔７から装置本体３の内部に水が入り込むのを防止できる。
【００３２】
また、本実施の形態では、カバー８の先端部１０に、４つのガイド部１５が備えられているので、４つのガイド部１５の先端に水が分散するように、水の流れがガイドすることができる。
【００３３】
また、本実施の形態では、通気孔７が装置本体３の上部に設けられ、カバー８が装置本体３の上面に備えられているので、装置本体３の内部の発熱体６により暖められて上昇した空気が、煙突効果によって、装置本体３の上部の通気孔７から効率よく排出され、放熱効率がさらに向上する。
【００３４】
以上、本発明の実施の形態を例示により説明したが、本発明の範囲はこれらに限定されるものではなく、請求項に記載された範囲内において目的に応じて変更・変形することが可能である。
【００３５】
例えば、以上の説明では、カバー８（シート１２）の先端部１０に、４つのガイド部１５が形成されている例について説明したが、本発明の範囲はこれに限定されるものではなく、ガイド部１５の数は、３つ以下であってもよく、また、５つ以上であってもよい。
【００３６】
また、以上の説明では、カバー８の板状部分であるカバー板１１と、カバー８のシート状部分であるシート１２とが別部材である例について説明したが、本発明の範囲はこれに限定されるものではなく、カバーの板状部分とシート状部分が一体であってもよい。
【産業上の利用可能性】
【００３７】
以上のように、本発明にかかるＰＯＳ端末装置は、防水機能を確保するとともに、放熱機能を向上することができるという効果を有し、店舗のレジカウンターで用いられるＰＯＳ端末装置等として有用である。
【図面の簡単な説明】
【００３８】
【図１】本発明の実施の形態におけるＰＯＳ端末装置の断面図
【図２】本発明の実施の形態におけるＰＯＳ端末装置の斜視図
【図３】本発明の実施の形態におけるＰＯＳ端末装置の分解斜視図
【図４】本発明の実施の形態におけるＰＯＳ端末装置（カバー取り付けた状態）の斜視図
【図５】本発明の実施の形態におけるＰＯＳ端末装置を上からみた図
【図６】本発明の実施の形態におけるＰＯＳ端末装置のカバーと通気孔の部分の拡大断面図
【図７】本発明の実施の形態におけるＰＯＳ端末装置のカバーと通気孔の部分の拡大断面図
【図８】本発明の実施の形態におけるＰＯＳ端末装置のカバーと通気孔の部分の拡大断面図
【図９】本発明の実施の形態におけるＰＯＳ端末装置のカバーの斜視図
【符号の説明】
【００３９】
１  ＰＯＳ端末装置
３  装置本体
６  発熱体
７  通気孔
８  カバー
９  基端部
１０  先端部
１１  カバー板
１２  シート
１５  ガイド部
Ａ１  通気孔存在エリア
Ａ２  通気孔不存在エリア
【図１】
2007249456.tif 000003
【図２】
2007249456.tif 000004
【図３】
2007249456.tif 000005
【図４】
2007249456.tif 000006
【図５】
2007249456.tif 000007
【図６】
2007249456.tif 000008
【図７】
2007249456.tif 000009
【図８】
2007249456.tif 000010
【図９】
2007249456.tif 000011